(57)【要約】【課題】封緘部材により梱包用部材の折り曲げ片を連結できるようにすること。【解決手段】結束バンド７を拘束可能な封緘部材１であって、梱包用部材の第一の部位に備えられた第一の開口部８３と、第二の部位に備えられた第二の開口部８４と、に貫通させることで、第一の折り曲げ片と第二の折り曲げ片を連結可能な連結部１１を備え、連結部の先端に結束バンドの拘束に使用可能な拘束部１４を備えた構成とする。【選択図】図５
2020189669.tif 000002
【特許請求の範囲】
【請求項１】
結束バンドを拘束可能な封緘部材であって、
梱包用部材の第一の部位に備えられた第一の開口部と、梱包用部材の第二の部位に備えられた第二の開口部と、に貫通させることで、第一の部位と第二の部位を連結可能な連結部を備え、
連結部の先端に結束バンドの拘束に使用可能な拘束部を備えた封緘部材。
【請求項２】
拘束部は、結束バンドを引っ掛けることができる第一の突出部と、結束バンドを引っ掛けることができる第二の突出部と、第一の突出部と第二の突出部の間に位置し結束バンドを通過させることができる隙間部と、を備え、
前記拘束部が二つ並んで配置され、一方の拘束部が環状とした結束バンドの一端側を固定可能であり、他方の拘束部が環状とした結束バンドの他端側を固定可能である請求項１に記載の封緘部材。
【請求項３】
第一の突出部よりも内側に配置された第二の突出部は、外側に位置する第一の突出部に近づくように移動させることができる請求項２に記載の封緘部材。
【請求項４】
拘束部は、梱包用部材との間に結束バンドを通過させることができる空間部を形成可能な第一の突出部を有する請求項１から３の何れかに記載の封緘部材。
【請求項５】
請求項４に記載の封緘部材を複数用いて少なくとも一つの梱包用部材を物品に固定する梱包方法であって、
梱包用部材の底部から立ち上がる前記第一の部位となる第一の折り曲げ片に備えられた第一の開口部と、梱包用部材の底部から立ち上がる前記第二の部位となる第二の折り曲げ片に備えられた第二の開口部と、に第一の封緘部材を貫通させ、
第一の封緘部材とは異なる箇所で第二の封緘部材を梱包用部材に貫通させ、
第二の封緘部材に設けた空間部に通過させた結束バンドの両端を第一の封緘部材で固定して少なくとも一つの梱包用部材を物品に固定する梱包方法。
【発明の詳細な説明】
【技術分野】
【０００１】
本発明は、封緘部材と、当該封緘部材を用いた梱包方法に関するものである。
【背景技術】
【０００２】
荷物を輸送する際に梱包用部材を使用することが知られている。特に大型のボックスのような重量があるものに対しては、角部を保護するために上下にトレー状の梱包用部材を被せてそれぞれをバンドで結束することがなされている。特許文献１に記載されているように、トレー状の梱包用部材は、荷物の天面又は底面を覆うことができる四角形状の底部から立ち上がる折り曲げ片の一部を重ね合わせた状態にすることで、折り曲げ片が立ち上がった状態を維持している。この折り曲げ片どうしは、ステープラーや接着剤を用いて接合することで、容易に接合が解除されないようにしている。このようにして作ったトレー状の梱包用部材は、荷物の天面又は底面を覆うように配置された後、ＰＰバンド及び結束部材を用いて、荷物に固定される。
【先行技術文献】
【特許文献】
【０００３】
【特許文献１】実開平０３−０６６８１５号公報
【０００４】
ところで、梱包材の折り曲げ片どうしを接合するためにステープラーや接着剤を使用すると、そのためだけに作業時間や材料のコストが発生する。また、個別でＰＰバンドと結束部材を使用する場合、結束後、移動中の振動などで、結束部材がずれて結束が緩まる虞があった。
【発明の概要】
【発明が解決しようとする課題】
【０００５】
本件の発明者は、この点について鋭意検討することにより、解決を試みた。本発明が解決しようとする課題は、封緘部材により梱包用部材の折り曲げ片を連結できるようにすることである。
【課題を解決するための手段】
【０００６】
上記課題を解決するため、結束バンドを拘束可能な封緘部材であって、梱包用部材の第一の部位に備えられた第一の開口部と、梱包用部材の第二の部位に備えられた第二の開口部と、に貫通させることで、第一の部位と第二の部位を連結可能な連結部を備え、連結部の先端に結束バンドの拘束に使用可能な拘束部を備えた封緘部材とする。
【０００７】
また、拘束部は、結束バンドを引っ掛けることができる第一の突出部と、結束バンドを引っ掛けることができる第二の突出部と、第一の突出部と第二の突出部の間に位置し結束バンドを通過させることができる隙間部と、を備え、前記拘束部が二つ並んで配置され、一方の拘束部が環状とした結束バンドの一端側を固定可能であり、他方の拘束部が環状とした結束バンドの他端側を固定可能である構成とすることが好ましい。
【０００８】
また、第一の突出部よりも内側に配置された第二の突出部は、外側に位置する第一の突出部に近づくように移動させることができる構成とすることが好ましい。
【０００９】
また、拘束部は、梱包用部材との間に結束バンドを通過させることができる空間部を形成可能な第一の突出部を有する構成とすることが好ましい。
【００１０】
また、前記封緘部材を複数用いて少なくとも一つの梱包用部材を物品に固定する梱包方法であって、前記第一の部位となる梱包用部材の底部から立ち上がる第一の折り曲げ片に備えられた第一の開口部と、前記第二の部位となる梱包用部材の底部から立ち上がる第二の折り曲げ片に備えられた第二の開口部と、に第一の封緘部材を貫通させ、第一の封緘部材とは異なる箇所で第二の封緘部材を梱包用部材に貫通させ、第二の封緘部材に設けた空間部に通過させた結束バンドの両端を第一の封緘部材で固定して少なくとも一つの梱包用部材を物品に固定する梱包方法とすることが好ましい。
【発明の効果】
【００１１】
本発明では、封緘部材により梱包用部材の折り曲げ片を連結することが可能となる。
【図面の簡単な説明】
【００１２】
【図１】第一の実施例における封緘部材の斜視図である。
【図２】封緘部材と結束バンドを用いて物品を梱包した例を示す斜視図である。
【図３】梱包用部材に封緘部材を取り付けた状態を示す斜視図である。
【図４】封緘部材を結束バンドの締め付け固定に用いた例を示す斜視図である。
【図５】図４に示す状態の断面図である。
【図６】封緘部材と梱包用部材との間に設けた空間部に結束バンドを通し、結束バンドの横ずれを抑制した状態を示した斜視図である。
【図７】図６に示す状態の断面図である。
【図８】図２とは異なる態様で封緘部材と結束バンドを用いて物品を梱包した例を示す斜視図である。
【図９】図８のＣ領域の部分拡大図である。
【図１０】第二の実施例における封緘部材の斜視図である。
【発明を実施するための形態】
【００１３】
以下に発明を実施するための形態を示す。本実施形態の封緘部材１は、結束バンド７を拘束可能なものである。この封緘部材１は、梱包用部材８の第一の部位となる底部８０から立ち上がる第一の折り曲げ片８１に備えられた第一の開口部８３と、梱包用部材８の第二の部位となる底部８０から立ち上がる第二の折り曲げ片８２に備えられた第二の開口部８４と、に貫通させることで、第一の折り曲げ片８１と第二の折り曲げ片８２を連結可能な連結部１１を備えている。また、この連結部１１の先端には、結束バンド７の拘束に使用可能な拘束部１４を備えている。このため、封緘部材１により梱包用部材８の折り曲げ片を連結することが可能となる。
【００１４】
ここで、第一の実施例の封緘部材１について説明する。図１に示すことから理解されるように、この例の封緘部材１は、面状に広がる土台部１０と、土台部１０から突出するように設けられる部位を備えたものである。この土台部１０から突出するように設けられている部位は、梱包用部材８に貫通させるものであり、先端には、結束バンド７の拘束に使用可能な拘束部１４を備えている。なお、土台部１０は、第一の開口部８３と第二の開口部８４より幅広に形成しているため、封緘部材１を梱包用部材８の第一の開口部８３と第二の開口部８４に押し込んだ際に、梱包用部材８の一面に引っ掛かることができ、適切な位置に封緘部材１を取り付けることができる。
【００１５】
図２に示すことから理解されるように、通常、封緘部材１は結束バンド７と併せて用いられるものであり、梱包用部材８と物品とが分離しないようにするために用いられる。なお、封緘部材１が取り付けられる梱包用部材８の典型例は、段ボールである。
【００１６】
封緘部材１は結束バンド７を挿入する前に、梱包用部材８に貫通させ、図３に示すように一部が梱包用部材８から突出した状態にして結束バンド７が通過できる経路を作る。この経路に結束バンド７を通過させることで、結束バンド７を拘束することができる。
【００１７】
図１に示す封緘部材１の拘束部１４は、結束バンド７を引っ掛けることができる第一の突出部１５と、結束バンド７を引っ掛けることができる第二の突出部１６と、第一の突出部１５と第二の突出部１６の間に位置し結束バンド７を通過させることができる隙間部１７と、を備えている。また、図１に示す封緘部材１には、この拘束部１４が二つ並んで配置され、一方の拘束部１４が環状とした結束バンド７の一端側を固定可能であり、他方の拘束部１４が環状とした結束バンド７の他端側を固定可能である。なお、拘束部１４に設けられた第一の突出部１５は、梱包用部材８との間に結束バンド７を通過させることができる空間部９３を形成することができるように構成されている。なお、この例の第一の突出部１５と第二の突出部１６は双方、梱包用部材８から突出する部分がコ字状となっている。このコ字状の部分と梱包用部材８により区画される空間に結束バンド７を通過させることができる。
【００１８】
図１に示す第二の突出部１６は、第一の突出部１５よりも内側に配置されている。この第二の突出部１６を構成する部位の土台部１０側には薄肉部１９を備えており、この薄肉部１９を利用して外側に撓ますことで、外側に位置する第一の突出部１５に近づくように第二の突出部１６を移動させることができる。このため、第一の突出部１５と第二の突出部１６の間隔を狭めて、結束バンド７の両面を第一の突出部１５と第二の突出部１６とが当接して結束バンド７が緩むことを抑制することができる。また、第一の突出部１５と第二の突出部１６は、梱包用部材８に貫通させた後に、梱包用部材８から封緘部材１が脱落することを抑制する抜止片１８を備えている。抜止片１８が封緘部材１に引っ掛けて封緘部材１が梱包用部材８から容易に抜け落ちない状態とすれば、結束バンド７の取付の際に便利である。
【００１９】
図２に示す例では、一本の結束バンド７に対して二つの封緘部材１を用いている。図２の紙面左側に位置する結束バンド７を例に挙げれば、一つの封緘部材１は図２に示すＡ領域に配置されており、もう一つの封緘部材１はＡ領域に配置された封緘部材１と反対側の位置に配置されている。なお、図２では、この位置にある封緘部材１を示すことはできないが、Ｂ領域辺りに位置することになる。
【００２０】
Ａ領域に配置された封緘部材１は、図２、図４及び図５に示したことから理解されるように、結束バンド７を締め付け固定するために用いられるものである。略環状に配置された結束バンド７の一端側は、第一の突出部１５と梱包用部材８との間に設けられた空間部９３に挿入された後、第二の突出部１６に沿って折り返すようにされ、再び、空間部９３に挿入される。結束バンド７の他端側は、他の拘束部１４に設けられた第一の突出部１５と梱包用部材８との間に設けられた空間部９３に挿入された後、第二の突出部１６に沿って折り返すようにされ、再び、空間部９３に挿入される。この後、結束バンド７の一端側及び他端側を引っ張ると、第一の突出部１５よりも内側に配置された第二の突出部１６が第一の突出部１５に近づくように移動し、図５に示す状態となる。このようにして結束バンド７を締め付け固定すれば、結束バンド７による締め付けが弛みにくくなる。
【００２１】
一方、Ｂ領域の封緘部材１は、図６及び図７に示したことから理解されるように、結束バンド７の幅方向へのずれを抑制するために用いられるものである。なお、Ｂ領域の封緘部材１は、梱包用部材８の固定に用いた結束バンド７が幅方向にずれて抜け落ちることを抑制するためのものであり、結束バンド７を締め付け固定するためには利用されていない。より具体的には、図６及び図７に示したことから理解されるように、Ｂ領域の封緘部材１は、第一の突出部１５と梱包用部材８で区画される空間部９３に結束バンド７を通過させることで、結束バンド７の横ずれを防ぐものであり、拘束部１４の第二の突出部１６に対して結束バンド７を巻き付けるようなことはしていない。ただし、空間部９３に通過させた結束バンド７により封緘部材１の脱落も規制することができる。
【００２２】
ここで、図１に示す封緘部材１を用いて結束バンド７を締め付け固定する流れを説明する。図３に示すことから理解されるように、まず、封緘部材１を段ボールなどの梱包用部材８に取り付ける。図２に示す例のような梱包をしようとする場合、梱包用部材８の底部８０から立ち上がる第一の折り曲げ片８１に備えられた第一の開口部８３と、梱包用部材８の底部８０から第一の折り曲げ片８１と異なる辺から立ち上がる第二の折り曲げ片８２に備えられた第二の開口部８４と、に第一の封緘部材１を貫通させて取り付ける。これにより、封緘部材１のみでステープラーや接着剤を用いなくても第一の折り曲げ片８１と第二の折り曲げ片８２を連結することができる。
【００２３】
また、第一の封緘部材１とは異なる箇所で第二の封緘部材１を梱包用部材８に貫通させて取り付ける。より具体的には、第一の封緘部材１を取り付けた場合と同様に、梱包用部材８の底部８０から立ち上がる第一の折り曲げ片８１に備えられた第一の開口部８３と、梱包用部材の底部８０から立ち上がる第二の折り曲げ片８２に備えられた第二の開口部８４と、に第二の封緘部材１を貫通させて取り付ける。なお、ここでは、封緘部材１が互いに異なる片を連結することを、第一の折り曲げ片８１と第二の折り曲げ片８２を連結するという内容の表現を用いて表しており、第一の封緘部材１と第二の封緘部材１が取り付けられる第一の折り曲げ片８１と、第二の折り曲げ片８２は、必ずしも同じものでは無い。
【００２４】
図２に示す例においては、図示しない物品を箱状の梱包材９１に収納し、トレー状の梱包用部材８で蓋をするものである。箱状の梱包材９１と梱包用部材８で物品を覆った後、これらが分離しないように結束バンド７を取り付ける。結束バンド７は箱状の梱包材９１と梱包用部材８の外面に沿わせて略環状となるように取り付けるが、この際、二カ所の封緘部材１に拘束されるように取り付ける。二カ所の封緘部材１のうち、第一の封緘部材１は結束バンド７を締め付け固定するために用い、第二の封緘部材１は結束バンド７がずれて脱落してしまうことを抑制するために用いる。
【００２５】
第二の封緘部材１は結束バンド７がずれて脱落することを抑制するためのものであるため、第二の封緘部材１に設けた空間部９３に通過させた結束バンド７の両端を第一の封緘部材１で固定して少なくとも一つの梱包用部材８を物品に固定する。
【００２６】
ところで、梱包方法は、このような態様に限る必要は無い。例えば、図８及び図９に示す例では、物品の側面を覆う梱包材９２の上下に梱包用部材８を配置し、各々の梱包用部材８を固定するように２本の結束バンド７を取り付けている。図８の紙面左側に位置する結束バンド７を例に挙げれば、一つの封緘部材１は図８に示すＣ領域に配置されており、他の封緘部材１はＤ領域辺りに位置することになる。Ｄ領域に配置された封緘部材１は結束バンド７の横ずれを抑止するために用いられるものであり、第一の突出部１５と梱包用部材８で区画される空間部９３に結束バンド７を通過させている。一方Ｃ領域に配置された封緘部材１は、結束バンド７を締め付け固定するために用いられる。
【００２７】
また、封緘部材１は図１に示す態様とは異なるものとすることも可能である。例えば、図１に示す第一の実施例では、第二の突出部１６を有する部位は、第一の突出部１５を有する部位とは異なる箇所から土台部１０より立ち上がるように設けているが、図１０に示す第二の実施例では、土台部１０から立ち上がる連結部１１の先端側から側方に延びる腕部９５が第二の突出部１６を支持するものとしている。この腕部９５は、屈曲可能に構成されており、結束バンド７の一端側や他端側を引っ張ると、腕部９５が屈曲し、第一の突出部１５よりも内側に配置された第二の突出部１６が第一の突出部１５に近づくように移動する。このため、結束バンド７が緩むことを抑制することができる。図１０に示す例では、第二の突出部１６は第一の突出部１５に近づいた際、第一の突出部１５の上方に位置するものとなる。
【００２８】
なお、実施形態では、第一の折り曲げ片８１と第二の折り曲げ片８２を連結する封緘部材１は段ボール製であり、ステープラーのように金属製でないことから、廃棄の際の分別がしやすいものとなる。また、接着剤は接着作業をしてから接着機能を発揮できるまでに時間が掛かることが多いが、封緘部材１を用いれば、そのような時間を確保する必要が無い。
【００２９】
以上、実施形態を例に挙げて本発明について説明してきたが、本発明は上記実施形態に限定されることはなく、各種の態様とすることが可能である。例えば、２枚の折り曲げ片を重ねるようにしたものを封緘部材で連結することには限らず、３枚以上の板状の部位が重なるようにしたものを連結するように封緘部材を用いることも可能である。また、実施形態では梱包用部材８の底部８０から第一の部位となる第一の折り曲げ片８１と第二の部位となる第二の折り曲げ片８２を形成したものであるが、第一の部位と第二の部位は別々の部材であっても良い。
【００３０】
また、第一の封緘部材とは異なる箇所で第二の封緘部材を梱包用部材に貫通させて取り付ける場合、第二の封緘部材は、第一の折り曲げ片と第二の折り曲げ片を連結するように機能しなくても良い。
【符号の説明】
【００３１】
１  封緘部材
７  結束バンド
８  梱包用部材
１１  連結部
１４  拘束部
１５  第一の突出部
１６  第二の突出部
１７  隙間部
【図１】
2020189669.tif 000003
【図２】
2020189669.tif 000004
【図３】
2020189669.tif 000005
【図４】
2020189669.tif 000006
【図５】
2020189669.tif 000007
【図６】
2020189669.tif 000008
【図７】
2020189669.tif 000009
【図８】
2020189669.tif 000010
【図９】
2020189669.tif 000011
【図１０】
2020189669.tif 000012